(57)【要約】【課題】簡易な機構でありながらスタンパホルダ、ひいてはスタンパを確実に保持でき容易に取り扱うことができるスタンパ着脱具を提供することを目的とする。【解決手段】本発明のスタンパ着脱具１は、ディスク基板を成形する金型２５の鏡面板１８にスタンパホルダ１４を介して装着されるスタンパ１５を、交換する際に用いる着脱具であって、一対の支持片２，３と、前記一対の支持片２，３を係合させる係合部２６とからなり、前記係合部２６は前記一対の支持片２，３の一端部を接近させそれをスタンパホルダ１４の内孔１７へ進入可能にするとともに前記一対の支持片２，３の離隔した他端部が接近したとき前記一対の支持片２，３の一端部に設けた摩擦部材１０，１１がスタンパホルダ１４の内孔１７表面を押圧するように構成された。【選択図】図１
2005246895.tif 000002
【特許請求の範囲】
【請求項１】
ディスク基板を成形する金型の鏡面板にスタンパホルダを介して装着されるスタンパを、交換する際に用いる着脱具であって、
一対の支持片と、前記一対の支持片を係合させる係合部とからなり、前記係合部は前記一対の支持片の一端部を接近させそれをスタンパホルダの内孔へ進入可能にするとともに前記一対の支持片の離隔した他端部が接近したとき前記一対の支持片の一端部に設けた摩擦部材がスタンパホルダの内孔表面を押圧するように構成されたことを特徴とするスタンパ着脱具。
【請求項２】
前記係合部は、前記支持片の一端部と他端部の中間位置に設けられ、前記摩擦部材が設けられた一端部を接近させる弾発部材を有する請求項１に記載のスタンパ着脱具。
【請求項３】
前記摩擦部材は、Ｏリングである請求項１または２に記載のスタンパ着脱具。
【請求項４】
ディスク基板を成形する金型の鏡面板にスタンパホルダを介して装着されるスタンパを、交換する方法であって、
係合部で係合した一対の支持片の接近した一端部をスタンパホルダの内孔へ進入させ、一対の支持片の離隔した他端部を指でつまんで、前記支持片の一端部を前記スタンパホルダの内孔表面に押圧・保持させて、スタンパホルダに係合したスタンパをスタンパホルダとともに金型から着脱することを特徴とするスタンパの交換方法。
【発明の詳細な説明】
【技術分野】
【０００１】
本発明は、ディスク基板を成形する金型に装着されるスタンパを、交換する際に用いる着脱具とスタンパの交換方法に関するものである。
【背景技術】
【０００２】
図３に示すように、金型２５はディスク基板を成形するための金型の一部であり、図示しない固定金型と型合わせされる可動金型である。金型２５は鏡面板１８と、鏡面板１８の裏面に固着される裏板１９と、鏡面板１８と裏板１９を取り付ける取付板２０とからなる。一体となった鏡面板１８、裏板１９および取付板２０の中央には円形の中心開口２７が設けられ、その中心には取付板２０に固着されたスリーブ２１が設けられる。中心開口２７とスリーブ２１の外周で形成される円形溝には、スリーブ２１の外周に案内され、図示しない駆動装置により進退移動可能なスタンパホルダ１４が設けられる。スタンパホルダ１４は、円筒形状であり、その鏡面板１８の表面側の端面には鍔部１６が突設されている。スタンパホルダ１４が駆動装置によりスリーブ２１の底部２８まで挿入されたときに、スタンパ１５は鏡面板１８の表面に鍔部１６で保持される。スタンパ１５の表面は図示しない固定金型とともにキャビティを形成し、キャビティには溶融樹脂が射出充填されて、スタンパ１５の表面に刻設された情報が転写されたディスク基板が成形される。
【０００３】
スタンパ１５は、ディスクの情報内容に応じて交換されねばならない。そのための従来のスタンパ１５交換方法としては、素手でスタンパ１５とスタンパホルダ１４を保持して行っていた。しかしながら、この作業は１００℃以上の高温のスタンパ１５やスタンパホルダ１４に触れるので、極めて危険であるとともに、スタンパ１５やスタンパホルダ１４に指の油脂等が付着して汚染させることがあった。
【０００４】
上記の問題を解決するために、特許文献１および特許文献２に示すようなスタンパホルダ着脱治具が提案されている。特許文献１のスタンパホルダ脱着治具は、固定側鏡板と、該固定側鏡板と共にキャビティ空間を形成する可動側鏡板と、前記固定側鏡板及び可動側鏡板の一方において着脱自在に配設され、装着時にスタンパの内周縁を固定し内周面に係止凹部が形成されたスリーブ状のインナスタンパホルダとを有する金型に適用される。このスタンパホルダ脱着治具は、一対のアーム部と、該各アーム部を一体的に連結する弾性部とを有し、前記各アーム部の前端には前記係止凹部と係合する係止凸部が形成され、かつ、該各係止凸部の外端間の距離はインナスタンパホルダの内径より大きく形成されている。しかしながら、このスタンパホルダ脱着治具は、インナスタンパホルダの内周面に係止凹部を要するため、インナスタンパホルダは設計上の制約が多くなるとともにコストが高くなるという問題がある。
【０００５】
また、特許文献２のスタンパホルダ着脱治具は、中心軸線を中心として放射状に配置した係止突部を前記中心軸線を中心として複数環状に配置し、複数の係止突部を中心軸線を中心として半径方向に拡縮可能に設ける。そして、複数の係止突部をスタンパを設けたインナスタンプホルダの内周面に設けた治具係止溝に係止する。しかしながら、このスタンパホルダ着脱治具も、インナスタンプホルダの内周面に治具係止溝を要するため、インナスタンプホルダは設計上の制約が多くなるとともにコストが高くなるという問題がある。さらに、このスタンパホルダ着脱治具は、複雑な機構となっているので、コストが高くなる。
【特許文献１】特開平９−３２７８２９号公報（第１〜５頁、第１〜９図）
【特許文献２】特開２００２−１９２５７４号公報（第１〜５頁、第１〜５図）
【発明の開示】
【発明が解決しようとする課題】
【０００６】
本発明は、上記した問題を解決すべくなされたものであって、簡易な機構でありながらスタンパホルダ、ひいてはスタンパを確実に保持でき容易に取り扱うことができるスタンパ着脱具を提供することを目的とする。
【課題を解決するための手段】
【０００７】
本発明は、ディスク基板を成形する金型の鏡面板にスタンパホルダを介して装着されるスタンパを、交換する際に用いる着脱具であって、一対の支持片と、前記一対の支持片を係合させる係合部とからなり、前記係合部は前記一対の支持片の一端部を接近させそれをスタンパホルダの内孔へ進入可能にするとともに前記一対の支持片の離隔した他端部が接近したとき前記一対の支持片の一端部に設けた摩擦部材がスタンパホルダの内孔表面を押圧するように構成されたスタンパ着脱具に関する。
【発明の効果】
【０００８】
本発明のスタンパ着脱具は、一対の支持片と、前記一対の支持片を係合させる係合部とからなり、前記係合部は前記一対の支持片の一端部を接近させそれをスタンパホルダの内孔へ進入可能にするとともに前記一対の支持片の離隔した他端部が接近したとき前記一対の支持片の一端部に設けた摩擦部材がスタンパホルダの内孔表面を押圧するように構成されたので、簡易な機構でありながらスタンパホルダ、ひいてはスタンパを確実に保持でき容易に取り扱うことができる。
【発明を実施するための最良の形態】
【０００９】
図面に基づいて、本発明の形態を詳細に説明する。図１は、本発明のスタンパ着脱具の正面図である。図２は、本発明のスタンパ着脱具の側面図である。図３は、本発明のスタンパ着脱具を用いた着脱状態のスタンパホルダとスタンパを金型とともに示す正面図である。図４は、本発明の他のスタンパ着脱具の正面図である。
【００１０】
図１および図２に示すように、スタンパ着脱具１は、支持片２および支持片３を係合部２６で係合させたものである。支持片２，３は、耐熱性プラスチックまたは金属等からなる断面半円状の棒材である。支持片２，３の一端部における端面近傍には環状溝が設けられ、該環状溝には摩擦部材１０，１１としての耐熱性弾性体のＯリングが、前記環状溝からその一部が突出するように嵌着されている。そして、支持片２，３の少なくとも一端部における断面の円弧形状は、前記Ｏリングの外径がスタンパホルダ１４の内孔１７の径と一致するように形成されることが好ましい。支持片２，３の他端部は、支持片２，３の円弧が一部切り取られて握持部４，５となっている。なお、摩擦部材１０，１１は、Ｏリングに代えて板状のゴム等を支持片２，３の一端部における端面近傍の円弧頂部に取付けたものとしてもよい。
【００１１】
係合部２６は、支持片２，３の対向面であって一端部と他端部との中間位置に設けた座部６，７および、座部６，７を貫通して軸支する軸８とからなる。座部６，７は、支持片２，３の対向する平面の位置が一致するように、相違した位相で一または二それぞれの支持片２，３の対向する平面に突設されている。そして、支持片２，３それぞれにおける一または二の座部６，７は、相互に組み合わされ、軸８を介して揺動可能に係合する。なお、軸８は、その両端に拡径された衝止部を有する。
【００１２】
軸８の中央部であって座部６，７がない部分には、弾発部材９としてのねじりバネが捲着されており、ねじりバネの両端は支持片２，３の対向する他端部側の平面を押圧して、支持片２，３の一端部が接近し他端部が離隔するように作用している。
【００１３】
なお、図４には、他の係合部２６０を採用した他のスタンパ着脱具１００を例示する。ここにおいて、係合部２６０を構成する座部６０，７０は、軸８を挿通させる穴を有しない点で座部６，７とは異なっている。そして、座部６０の凸部が座部７０の凹部と当接して係合し揺動する。また、支持片２００，３００は、握持部４０，５０に弾発部材９０を遊貫する穴を有する点で支持片２，３とは異なっている。さらに、弾発部材９０としてのバネは、一回巻きのものを支持片２００，３００の一端部側の円弧頂部を押圧するように装着されている。
【００１４】
次に、図３に基づいて、スタンパ着脱具１を用いたスタンパ１５の交換方法について詳細に説明する。ある情報を有するスタンパ１５によるディスク基板の成形が終了した後、金型２５を固定金型から十分離隔させる。そして、金型２５に設けた図示しない駆動装置によりスタンパホルダ１４を底部２８から離隔させ、スタンパ１５とスタンパホルダ１４を鏡面板１８の表面から突出させる。このとき、スタンパ着脱具１の支持片２，３の一端部が弾発部材９によって接近し、一端部同士が当接してその外形はスタンパホルダ１４の内孔１７の径よりも十分小さいので、スタンパ着脱具１の一端部を容易に内孔１７内へ進入させることができる。そして、握持部４，５を親指１２と人差指１３とで強くつまむことにより、支持片２，３の他端部は接近し、支持片２，３の一端部は離隔する。そのため、摩擦部材１０，１１は、スタンパホルダ１４の内孔１７表面を押圧する。この押圧力はつまむ力に比例して大きくすることが可能である。また、係合部２６の位置が他端部よりも一端部に近い位置にあれば、前記押圧力は指のつまむ力より拡大されるので、より強力にスタンパホルダ１４を保持し、引き抜くことができる。いずれにしても、摩擦部材１０，１１は、スタンパホルダ１４の内孔１７表面との摩擦力が増強されて、スタンパホルダ１４の着脱方向への移動を容易にさせる。
【００１５】
このようにして、スタンパ１５はスタンパホルダ１４とともに金型２５から容易に分離でき、スタンパ１５を他の情報のものに入れ替えた後、上記とは逆の工程によりスタンパ１５を金型２５に装着することにより、スタンパ１５の着脱が実行できる。
【００１６】
この発明は以上説明した実施例に限定されるものではなく、発明の趣旨を逸脱しない範囲内において種々の変更を付加して実施することができる。例えば、スタンパ１５は可動金型である金型２５に取付けられた例で説明したが、スタンパは固定金型に取付けられた場合であっても、本発明は同様に適用できる。
【図面の簡単な説明】
【００１７】
【図１】本発明のスタンパ着脱具の正面図である。
【図２】本発明のスタンパ着脱具の側面図である。
【図３】本発明のスタンパ着脱具を用いた着脱状態のスタンパホルダとスタンパを金型とともに示す正面図である。
【図４】本発明の他のスタンパ着脱具の正面図である。
【符号の説明】
【００１８】
１，１００   スタンパ着脱具
２，３，２００，３００   支持片
４，５，４０，５０       握持部
６，７，６０，７０       座部
８           軸
９，９０     弾発部材（バネ）
１０，１１   摩擦部材（Ｏリング）
１２         親指
１３         人差指
１４         スタンパホルダ
１５         スタンパ
１６         鍔部
１７         内孔
１８         鏡面板
１９         裏板
２０         取付板
２１         スリーブ
２５         金型
２６，２６０ 係合部
２７         中心開口
２８         底部
【図１】
2005246895.tif 000003
【図２】
2005246895.tif 000004
【図３】
2005246895.tif 000005
【図４】
2005246895.tif 000006